(57)【要約】【課題】排紙トレイが操作パネルの下側に配置された画像形成装置において、用紙を排紙トレイから容易に取り出すことができる画像形成装置を提供する。【解決手段】画像形成装置１は、装置本体２と、画像読取装置４と、操作パネル６と、排紙トレイ２８と、連結部８とを備える。画像読取装置４は、装置本体２の上側に配置されている。操作パネル６は、画像読取装置４の前面４２ａに配置されている。排紙トレイ２８は、装置本体２の前面２１ａに配置され、操作パネル６の下側に位置している。連結部８は、画像読取装置４と装置本体２とを連結する。装置本体２は、画像読取装置４によって読み取られた画像を記録媒体に形成し、記録媒体を排紙トレイ２８に排出し、連結部８は、画像読取装置４の下面４２ｂの後部を、装置本体２の左右方向に沿った回動軸線を中心に回動可能に装置本体２に連結する。【選択図】図２
2017102162.tif 000002
【特許請求の範囲】
【請求項１】
第１前面を有する装置本体と、
前記装置本体の上側に配置され、前記第１前面と同じ側の面である第２前面を有する画像読取装置と、
前記画像読取装置の前記第２前面に配置された操作パネルと、
前記装置本体の前記第１前面に配置され、前記操作パネルの下側に位置する排紙トレイと、
前記画像読取装置と前記装置本体とを連結する連結部と
を備え、
前記画像読取装置は、原稿から画像を読み取り、
前記装置本体は、前記画像読取装置によって読み取られた画像を記録媒体に形成し、前記記録媒体を前記排紙トレイに排出し、
前記連結部は、前記画像読取装置の下面の後部を、前記装置本体の左右方向に沿った回動軸線を中心に回動可能に前記装置本体に連結する、画像形成装置。
【請求項２】
付勢部材を更に備え、
前記付勢部材は、前記画像読取装置を前記装置本体に対して開く方向に付勢する、請求項１に記載の画像形成装置。
【請求項３】
前記付勢部材は、ダンパーであり、
前記ダンパーの一端部は、前記画像読取装置の前記下面に連結され、前記ダンパーの他端部は、前記装置本体に連結される、請求項２に記載の画像形成装置。
【請求項４】
係止部と、被係止部と、操作部材とを更に備え、
前記係止部及び操作部材は、前記画像読取装置及び前記装置本体のうちの一方に配置され、
前記被係止部は、前記画像読取装置及び前記装置本体のうちの他方に配置され、
前記操作部材は、係止位置と解除位置との間で移動可能であり、
前記係止部は、前記画像読取装置が前記装置本体に対して閉じているときに、前記操作部材が前記解除位置から前記係止位置に移動されると、前記被係止部に係止し、前記操作部材が前記係止位置から前記解除位置に移動されると、前記被係止部との係止を解除する、請求項１〜請求項３の何れかの１項に記載の画像形成装置。
【請求項５】
前記連結部は、前記画像読取装置を前記装置本体の後側に退避可能に前記装置本体に連結する、請求項１に記載の画像形成装置。
【請求項６】
前記連結部は、
前記画像読取装置の下面に配置された第１支軸部と、
前記装置本体の後面に配置された第２支軸部と、
前記装置本体の左右方向に沿った回動軸部と
を備え、
前記第２支軸部は、前記装置本体の上下方向に伸びた長孔を有し、
前記第１支軸部は、前記回動軸部を支持し、
前記回動軸部は、前記長孔の長手方向に沿って移動可能に前記長孔に挿通されている、請求項５に記載の画像形成装置。
【請求項７】
前記装置本体は、後処理部を更に備え、
前記後処理部は、前記装置本体によって画像が形成された記録媒体を後処理し、
前記排紙トレイには、前記後処理部によって後処理された記録媒体が排出される、請求項１〜請求項６の何れかの１項に記載の画像形成装置。
【発明の詳細な説明】
【技術分野】
【０００１】
本発明は、画像形成装置に関する。
【背景技術】
【０００２】
従来の画像形成装置は、装置本体と、画像読取装置と、操作パネルと、排紙トレイとを備える。画像読取装置は、原稿から画像を読み取る。装置本体は、画像読取装置によって読み取られた画像を用紙に形成する。排紙トレイには、装置本体によって画像が形成された用紙が排出される。
【０００３】
画像読取装置は、装置本体の上側に配置されている。操作パネルは、画像読取装置の前面に配置されている。排紙トレイは、装置本体の前面に配置され、操作パネルの下側に位置している（例えば特許文献１）。
【先行技術文献】
【特許文献】
【０００４】
【特許文献１】特開平１１−０４３２５３号公報
【発明の概要】
【発明が解決しようとする課題】
【０００５】
従来の画像形成装置では、排紙トレイは、操作パネルの下側に配置されている。操作パネルは、使用者の操作性を考慮して、排紙トレイと同じ側で且つ可能な限り低い位置に配置される。従って、排紙トレイが操作パネルの真下に配置し、操作パネルと排紙トレイとの間隔が狭くなる。この結果、用紙を排紙トレイから取り出し難くなる。
【０００６】
本発明は上記課題に鑑みてなされたものであり、その目的は、排紙トレイが操作パネルの下側に配置された画像形成装置において、用紙を排紙トレイから容易に取り出すことができる画像形成装置を提供することにある。
【課題を解決するための手段】
【０００７】
本発明に係る画像形成装置は、装置本体と、画像読取装置と、操作パネルと、排紙トレイと、連結部とを備える。前記装置本体は、第１前面を有する。前記画像読取装置は、前記装置本体の上側に配置され、前記第１前面と同じ側の面である第２前面を有する。前記操作パネルは、前記画像読取装置の前記第２前面に配置される。前記排紙トレイは、前記装置本体の前記第１前面に配置され、前記操作パネルの下側に位置する。前記連結部は、前記画像読取装置と前記装置本体とを連結する。前記画像読取装置は、原稿から画像を読み取り、前記装置本体は、前記画像読取装置によって読み取られた画像を記録媒体に形成し、前記記録媒体を前記排紙トレイに排出し、前記連結部は、前記画像読取装置の下面の後部を、前記装置本体の左右方向に沿った回動軸線を中心に回動可能に前記装置本体に連結する。
【発明の効果】
【０００８】
本発明によれば、排紙トレイが操作パネルの下側に配置された画像形成装置において、用紙を排紙トレイから容易に取り出すことができる。
【図面の簡単な説明】
【０００９】
【図１】第１実施形態に係る画像形成装置の斜視図である。
【図２】第１実施形態に係る画像形成装置の側面図である。
【図３】第１実施形態に係る画像形成装置の他の側面図である。
【図４】画像読取装置の背面図である。
【図５】係止部の斜視図である。
【図６】画像読取装置の下面から見た斜視図である。
【図７】画像読取装置の下面から見た平面図である。
【図８】（ａ）係止部と被係止部との係止が解除されたロック機構を示す図であり、（ｂ）係止部と被係止部とが係止したロック機構を示す図である。
【図９】第２実施形態に係る画像形成装置の側面図である。
【図１０】画像読取装置、自動原稿搬送装置、操作パネル及び連結部を示す側面図である。
【図１１】画像読取装置、自動原稿搬送装置、及び連結部を示す背面図である。
【図１２】第２実施形態に係る画像形成装置の他の側面図である。
【発明を実施するための形態】
【００１０】
以下、本発明の実施形態について、図面を参照しながら説明する。なお、図中、同一又は相当部分については同一の参照符号を付して説明を繰り返さない。
【００１１】
＜第１実施形態＞
図１を参照して、本実施形態に係る画像形成装置について説明する。図１は、本実施形態に係る画像形成装置の斜視図である。
【００１２】
図１に示すように、本実施形態に係る画像形成装置１は、用紙（記録媒体）に画像を形成する。画像形成装置１は、例えばプリンターである。画像形成装置１は、装置本体２と、自動原稿搬送装置３と、画像読取装置４と、操作パネル６とを備える。
【００１３】
説明の便宜上、画像形成装置１の操作パネル６側を画像形成装置１の前側とし、その反対側を画像形成装置１の後側とする。また、画像形成装置１の前後方向に直交する水平方向の一方側を画像形成装置１の右側とし、他方側を画像形成装置１の左側とする。
【００１４】
画像読取装置４は、装置本体２の上側に配置されている。自動原稿搬送装置３は、画像読取装置４の上側に配置されている。画像読取装置４は、前面４２ａ（第２前面）を有する。操作パネル６は、前面４２ａに配置されている。操作パネル６は、画像読取装置４の前側に張り出している。
【００１５】
操作パネル６は、使用者によって操作される。使用者は、操作パネル６を操作することにより、画像形成装置１に対して各種の操作を指示し得る。また、使用者は、各種の設定を行い得る。
【００１６】
自動原稿搬送装置３は、原稿積載トレイ３ａを有する。原稿積載トレイ３ａには、複数の原稿が積載される。自動原稿搬送装置３は、使用者による操作パネル６の操作に応じて、原稿を原稿積載トレイ３ａから１枚ずつ繰り出して画像読取装置４に搬送する。
【００１７】
画像読取装置４は、原稿から画像を読み取る。画像読取装置４は、画像読取部４１と、筐体４２とを備える。
【００１８】
画像読取部４１は、原稿から画像を読み取り、読み取った画像に基づいて画像データを生成する。原稿は、自動原稿搬送装置３から画像読取装置４に搬送された原稿、又は、使用者によって画像読取装置４に載置された原稿である。
【００１９】
筐体４２は、画像読取部４１を収容する。筐体４２は、例えば、偏平な直方体形の箱状である。筐体４２は、上記の前面４２ａを有する。前面４２ａには、操作パネル６が配置されている。
【００２０】
装置本体２は、画像データに基づいて用紙に画像を形成する。また、装置本体２は、使用者による操作パネル６の操作に応じて、画像を形成した用紙を後処理する。画像データは、例えば、画像読取装置４が生成した画像データである。後処理は、例えばステープル処理である。ステープル処理は、複数枚の用紙をホチキスで綴じる処理である。
【００２１】
装置本体２は、筐体２１と、給紙カセット２４と、画像形成部２５と、排紙トレイ２８とを備える。筐体２１は、胴内空間２３を形成する。
【００２２】
筐体２１は、前面２１ａ（第１前面）を有する。筐体２１は、例えば前面２１ａの一部が後退した直方体形の箱状である。具体的には、前面２１ａは、下半面２１ｅと、上半面２１ｆと、段差面２１ｇとを有する。上半面２１ｆは、下半面２１ｅに対して段差状に後退している。段差面２１ｇは、下半面２１ｅと上半面２１ｆとの間の段差部分に形成された水平な面である。
【００２３】
筐体２１の内部には、給紙カセット２４、画像形成部２５及び後処理部２６が収容されている。詳しくは、給紙カセット２４は、筐体２１の下部に配置されている。画像形成部２５は、給紙カセット２４の上側に配置されている。胴内空間２３は、画像形成部２５の上側に配置されている。後処理部２６は、筐体２１の上部であって、胴内空間２３の上側に配置されている。
【００２４】
前面２１ａは、開口部２２を有する。開口部２２は、上半面２１ｆの下部と段差面２１ｇとに跨って設けられている。開口部２２は、胴内空間２３と連通している。
【００２５】
給紙カセット２４は、画像形成部２５に用紙を供給する。給紙カセット２４には、複数の用紙（図示省略）が積載されている。画像形成部２５は、画像データに基づいて、用紙に画像を形成する。用紙は、画像形成部２５による画像形成後、胴内空間２３に排出されるか、又は、後処理部２６に搬送される。
【００２６】
後処理部２６は、用紙を後処理する。用紙は、画像形成部２５によって画像が形成された用紙である。後処理は、例えばステープル処理である。
【００２７】
また、前面２１ａは、用紙排出口２１ｂを有する。用紙排出口２１ｂは、用紙を筐体２１の内部から外部に排出する開口である。用紙排出口２１ｂは、前面２１ａの上部に設けられている。
【００２８】
排紙トレイ２８には、用紙排出口２１ｂを通って筐体２１の内部から外部に排出された用紙が排出される。排紙トレイ２８は、筐体２１の前面２１ａに配置されている。また、排紙トレイ２８は、操作パネル６の下側に位置している。排紙トレイ２８は、用紙排出口２１ｂの下側に位置し、前面２１ａから筐体２１の前斜め上方向に張り出している。
【００２９】
図２及び図３を参照して、画像形成装置１について更に説明する。図２及び図３は、本実施形態に係る画像形成装置１の側面図である。図２を参照して説明する具体例では、画像読取装置４は、装置本体２に対して閉じている。図３を参照して説明する具体例では、画像読取装置４は、装置本体２に対して開いている。
【００３０】
図２に示すように、画像形成装置１は、連結部８と、付勢部材９と、ロック機構１０とを更に備える。画像読取装置４の筐体４２は、下面４２ｂを有する。装置本体２の筐体２１は、上面２１ｃを有する。
【００３１】
連結部８は、画像読取装置４と装置本体２とを連結する。詳しくは、連結部８は、回動軸部８１を有する。回動軸部８１は、装置本体２の左右方向に沿っている。連結部８は、画像読取装置４の下面４２ｂの後部を、回動軸部８１を中心に回動可能に、装置本体２の上面２１ｃの後部に連結する。従って、画像読取装置４は、回動軸部８１を中心に回動することによって、装置本体２に対して開閉可能である。
【００３２】
連結部８は、回動軸部８１に加えて、支軸部８２（第１支軸部）と、支軸部８３（第２支軸部）とを更に備える。
【００３３】
回動軸部８１は、例えば、断面円形の棒状である。支軸部８２は、回動軸部８１を支持する。支軸部８２は、画像読取装置４の下面４２ｂの後部に配置されている。支軸部８３は、回動軸部８１を、回動軸部８１の中心軸線を中心に回動可能に支持する。回動軸部８１の中心軸線は、装置本体２の左右方向に沿っている。支軸部８３は、装置本体２の上面２１ｃの後部に配置されている。詳しくは、上面２１ｃは、凹部２１ｄを有する。凹部２１ｄは、上面２１ｃの後部に設けられている。支軸部８３は、凹部２１ｄの底部に配置されている。
【００３４】
付勢部材９は、画像読取装置４を装置本体２に対して開く方向（即ち上方向）に付勢する。付勢部材９は、例えばダンパーである。付勢部材９は、付勢部材９の長手方向に沿って伸長又は収縮可能である。付勢部材９は、内部に巻きバネを有する。付勢部材９は、外部から応力が作用していない解放状態において、内部の巻きバネによって伸長される。付勢部材９は、内部の巻きバネによって、画像読取装置４を装置本体２に対して開く方向に付勢している。
【００３５】
付勢部材９は、画像読取装置４の下面４２ｂと装置本体２の上面２１ｃとの間に跨って配置されている。詳しくは、装置本体２の上面２１ｃは、凹部２１ｈを有する。付勢部材９は、凹部２１ｈの内部に収容されている。付勢部材９における長手方向の一端部は、画像読取装置４の下面４２ｂに、回動軸線Ｌ１を中心に回動可能に連結されている。付勢部材９における長手方向の他端部は、装置本体２の凹部２１ｈの底部に、回動軸線Ｌ２を中心に回動可能に連結されている。回動軸線Ｌ１及び回動軸線Ｌ２は、装置本体２の左右方向に沿っている。
【００３６】
ロック機構１０は、画像読取装置４が装置本体２に対して開くことを規制する。ロック機構１０は、係止部１５と、被係止部１６とを備える。
【００３７】
被係止部１６は、係止部１５に係止される。被係止部１６は、装置本体２の上面２１ｃの前部側に配置されている。本実施形態では、上面２１ｃの前部側に凹部が形成されており、その凹部の底部に被係止部１６が配置されている。
【００３８】
係止部１５は、被係止部１６に係止する。係止部１５は、画像読取装置４の下面４２ｂの前部側に配置されている。係止部１５は、係止部１５の係止位置と解除位置との間で移動可能である。係止部１５は、画像読取装置４が装置本体２に対して閉じているときに係止部１５の解除位置から係止位置に移動すると、被係止部１６に係止する。係止部１５は、係止部１５の係止位置から解除位置に移動すると、被係止部１６との係止を解除する。係止部１５の係止位置と解除位置の具体例については、図６を参照して後述する。
【００３９】
図２を参照して説明した具体例では、係止部１５は、係止部１５の解除位置から係止位置に移動されており、被係止部１６に係止している。この結果、ロック機構１０は、画像読取装置４が装置本体２に対して開くことを規制している。
【００４０】
なお、画像読取装置４が装置本体２に対して閉じている場合は、排紙トレイ２８は、操作パネル６の真下に配置されている。従って、操作パネル６と排紙トレイ２８との間隔Ｄは狭い。
【００４１】
図３に示すように、係止部１５と被係止部１６との係止が解除されると、付勢部材９が伸長する。そして、付勢部材９が画像読取装置４の前部を上方向に持ち上げる。この結果、画像読取装置４は、回動軸部８１を中心に回動して、装置本体２に対して開く。
【００４２】
画像読取装置４が装置本体２に対して開いている場合は、操作パネル６は排紙トレイ２８の上方に移動されている。従って、操作パネル６と排紙トレイ２８との間隔Ｄは、画像読取装置４が装置本体２に対して閉じている場合の間隔Ｄよりも広くなる。この結果、用紙が排紙トレイ２８から取り易くなる。
【００４３】
図４を参照して、連結部８及び付勢部材９について更に説明する。図４は、画像読取装置４の背面図である。図４を参照して説明する具体例では、画像読取装置４に、自動原稿搬送装置３、連結部８及び付勢部材９が配置されている。
【００４４】
図４に示すように、連結部８は、下面４２ｂの後部の左右両側に２つ配置されている。連結部８は、回動軸部８１、支軸部８２及び支軸部８３を備える。
【００４５】
支軸部８２は、例えば直方体形である。支軸部８２は、回動軸部８１を支持している。回動軸部８１の両端部は、支軸部８２の左右の両側面から突出している。
【００４６】
支軸部８３は、２つの支軸板８３ａを有する。２つの支軸板８３ａは、支軸部８２の左右両側に配置されている。２つの支軸板８３ａの各々は、孔部８３ｂを有する。孔部８３ｂは、支軸板８３ａの厚さ方向（即ち左右方向）に貫通している。回動軸部８１の両端部の各々は、２つの支軸板８３ａの各々の孔部８３ｂに回動可能に挿通されている。この結果、回動軸部８１は、支軸部８３によって回動可能に支持されている。
【００４７】
付勢部材９は、下面４２ｂの前部側の左右両側に２つ配置されている。詳しくは、下面４２ｂは、支持部４２ｄを有する。支持部４２ｄは、下面４２ｂの前部側の左右両側に設けられている。付勢部材９における長手方向の一端部は、回動軸線Ｌ１を中心に回動可能に支持部４２ｄに連結されている。
【００４８】
図５及び図６を参照して、係止部１５の詳細について説明する。図５は、係止部１５の斜視図である。図６は、画像読取装置４の下面から見た斜視図である。詳しくは、図６は、画像読取装置４の下面４２ｂを示している。
【００４９】
図５に示すように、係止部１５は、係止爪１５ａと、係止爪１５ｂと、支持部１５ｃを備える。
【００５０】
支持部１５ｃは、係止爪１５ａ及び係止爪１５ｂを支持する。支持部１５ｃは、棒状である。係止爪１５ａ及び係止爪１５ｂは、支持部１５ｃの両端部側に設けられている。係止爪１５ａ及び係止爪１５ｂは、支持部１５ｃから下方に向けて突出している。係止爪１５ａ及び係止爪１５ｂはそれぞれ、返し爪部１５ｄを有する。返し爪部１５ｄは、被係止部１６に係止する。返し爪部１５ｄは、支持部１５ｃの長手方向の一端側（例えば左方向）を向いている。
【００５１】
係止爪１５ａは、先端面１５ｅを有する。先端面１５ｅは、画像形成装置１の左上方向に傾斜している。
【００５２】
図６に示すように、係止部１５は、画像読取装置４の下面４２ｂに配置されている。詳しくは、下面４２ｂは、凹溝部４２ｃを有する。凹溝部４２ｃは、下面４２ｂの前部側に形成され、画像読取装置４の左右方向に伸びている。係止部１５は、凹溝部４２ｃの長手方向に沿って、凹溝部４２ｃの底部に配置されている。係止部１５は、凹溝部４２ｃの長手方向に沿って移動可能である。
【００５３】
凹溝部４２ｃの左端部が係止部１５の係止位置であり、凹溝部４２ｃの右端部が係止部１５の解除位置である。従って、画像読取装置４が装置本体２に対して閉じられている場合に、係止部１５が凹溝部４２ｃの左端部に移動されると、係止部１５が被係止部１６に係止する。即ち、返し爪部１５ｄが被係止部１６に係止する。そして、係止部１５が凹溝部４２ｃの右端部に移動されると、係止部１５と被係止部１６との係止が解除される。
【００５４】
係止部１５は、不図示の付勢部材（例えば巻きバネ）によって、凹溝部４２ｃの左端部側に向けて付勢されている。
【００５５】
図７を参照して、ロック機構１０について更に説明する。図７は、画像読取装置４の下面から見た平面図である。詳しくは、図７は、画像読取装置４の下面４２ｂを示している。
【００５６】
図７に示すように、ロック機構１０は、係止部１５及び被係止部１６に加えて、操作部材１７、付勢部材１８及びリンク部材１９を備える。画像読取装置４の筐体４２は、左面４２ｅを有する。
【００５７】
操作部材１７は、使用者によって操作される。使用者による操作部材１７の操作に応じて、係止部１５は、係止部１５の係止位置と解除位置との間で移動する。操作部材１７は、例えば押しボタンである。操作部材１７は、画像読取装置４の左面４２ｅに配置されている。
【００５８】
詳しくは、左面４２ｅは、凹部４２ｆを有する。操作部材１７は、凹部４２ｆ内に配置されている。操作部材１７は、指で右方向に押下されることによって、押下方向に一定距離移動する。操作部材１７は、操作部材１７の係止位置と解除位置との間で移動可能である。操作部材１７の係止位置は、操作部材１７が押下されていないときの操作部材１７の位置である。操作部材１７の解除位置は、操作部材１７が押下されて一定距離移動したときの操作部材１７の位置である。
【００５９】
付勢部材１８は、操作部材１７を操作部材１７の解除位置から係止位置に向けて付勢する。付勢部材１８は、例えば巻きバネである。付勢部材１８は、例えば、操作部材１７と凹部４２ｆの底部との間に配置されている。
【００６０】
リンク部材１９は、操作部材１７が押下されることによって、係止部１５を凹溝部４２ｃの左端部から右端部に移動させる。即ち、係止部１５は、係止部１５の係止位置から解除位置に移動される。リンク部材１９は、例えば棒状である。リンク部材１９は、画像読取装置４の左右方向に沿って配置されている。リンク部材１９の左端部は、操作部材１７の裏面に連結されている。リンク部材１９の右端部は、係止部１５の支持部１５ｃの左端部に当接している。
【００６１】
ロック機構１０では、操作部材１７が押下されないときは、操作部材１７は、付勢部材１８によって左方向に付勢され、操作部材１７の係止位置に位置している。従って、係止部１５は、不図示の付勢部材によって左方向に付勢され、凹溝部４２ｃの左端部（即ち係止部１５の係止位置）に位置している。
【００６２】
また、操作部材１７が押下されたときは、操作部材１７は、画像形成装置１の右方向に移動され、操作部材１７の解除位置に位置される。そして、リンク部材１９は、操作部材１７によって右方向に移動される。従って、係止部１５は、リンク部材１９によって右方向に移動され、凹溝部４２ｃの右端部（即ち係止部１５の解除位置）に位置される。この結果、係止部１５と被係止部１６との係止が解除される。
【００６３】
図８を参照して、ロック機構１０について更に説明する。図８（ａ）及び（ｂ）はそれぞれ、ロック機構１０を示す。図８（ａ）を参照して説明する具体例では、係止部１５は被係止部１６に係止していない。図８（ｂ）を参照して説明する具体例では、係止部１５は被係止部１６に係止している。
【００６４】
図８（ａ）に示すように、被係止部１６は、被係止爪１６ａと、被係止爪１６ｂとを備える。
【００６５】
被係止爪１６ａ及び被係止爪１６ｂはそれぞれ、係止爪１５ａ及び係止爪１５ｂに対応している。即ち、被係止爪１６ａ及び被係止爪１６ｂはそれぞれ、装置本体２の上面２１ｃにおいて、係止爪１５ａ及び係止爪１５ｂに対応する位置に配置されている。
【００６６】
被係止爪１６ａ及び被係止爪１６ｂはそれぞれ、返し爪部１６ｄを有する。返し爪部１６ｄは、返し爪部１５ｄに係止される。返し爪部１５ｄが返し爪部１６ｄに係止することによって、係止部１５は、被係止部１６に係止する。返し爪部１６ｄは、画像形成装置１の右方向を向いている。被係止爪１６ａは、先端面１６ｅを有する。先端面１６ｅは、画像形成装置１の右下方向に傾斜している。
【００６７】
画像読取装置４が装置本体２に対して開いているときに、画像読取装置４が装置本体２に対して閉じる方向に回動されると、係止部１５は、被係止部１６に接近する。そして、係止爪１５ａの先端面１５ｅが被係止爪１６ａの先端面１６ｅに当接する。そして、係止爪１５ａは、先端面１６ｅを摺動しながら画像形成装置１の右方向且つ下方向に移動する。従って、係止部１５は、凹溝部４２ｃの左端部から右端部に移動する。この結果、係止部１５は、係止部１５の係止位置から解除位置に移動する。
【００６８】
そして、画像読取装置４が装置本体２に対して閉じられると、不図示の付勢部材によって、係止部１５が凹溝部４２ｃの右端部から左端部に付勢される。従って、図８（ｂ）に示すように、係止爪１５ａ及び係止爪１５ｂの各々の返し爪部１５ｄが、被係止爪１６ａ及び被係止爪１６ｂの各々の返し爪部１６ｄに係止する。この結果、ロック機構１０は、画像読取装置４が装置本体２に対して開くことを規制する。
【００６９】
以上に説明した画像形成装置１によれば、画像形成装置１は連結部８を備える。連結部８は、画像読取装置４の下面４２ｂの後部を、回動軸部８１を中心に回動可能に装置本体２に連結する。従って、画像読取装置４が回動軸部８１を中心に装置本体２に対して回動されることによって、操作パネル６と排紙トレイ２８との間隔Ｄを広げることができる。この結果、用紙を排紙トレイ２８から容易に取り出すことができる。
【００７０】
なお、本実施形態において、係止部１５、操作部材１７、付勢部材１８及びリンク部材１９は、装置本体２に配置されてもよい。係止部１５、操作部材１７、付勢部材１８及びリンク部材１９が装置本体２に配置される場合は、被係止部１６は、画像読取装置４に配置される。
【００７１】
また、本実施形態において、操作部材１７は、画像読取装置４のどの箇所に配置されてもよく、操作パネル６に配置されてもよい。
【００７２】
＜第２実施形態＞
以下、本実施形態に係る画像形成装置について説明する。
【００７３】
本実施形態に係る画像形成装置１は、第１実施形態に係る画像形成装置１と比べて、画像読取装置４を装置本体２の後面側に退避させることができる点で相違している。詳しくは、本実施形態の画像形成装置１は、連結部１１を備える。連結部１１は、第１実施形態の連結部８と比べて、回動軸部８１を中心に画像読取装置４を回動可能に支持することに加えて、画像読取装置４を装置本体２の後側に退避可能に支持する点で相違している。
【００７４】
また、本実施形態に係る画像形成装置１は、第１実施形態に係る画像形成装置１と比べて、付勢部材９及びロック機構１０を備えていない点で相違している。
【００７５】
以下、本実施形態に係る画像形成装置１について、第１実施形態に係る画像形成装置１と同じ部分の説明を省略し、第１実施形態に係る画像形成装置１と異なる部分を説明する。
【００７６】
図９〜図１１を参照して、本実施形態に係る画像形成装置１について説明する。図９は、本実施形態に係る画像形成装置１の側面図である。図９を参照して説明する具体例では、画像読取装置４は、装置本体２に対して閉じている。図１０は、画像読取装置４、自動原稿搬送装置３、操作パネル６及び連結部１１を示す側面図である。詳しくは、図１０は、画像読取装置４が装置本体２に対して閉じているときの画像読取装置４、自動原稿搬送装置３、操作パネル６及び連結部１１を示す。
【００７７】
図９及び図１０に示すように、画像形成装置１は、連結部１１を備える。連結部１１は、回動軸部８１と、支軸部８２と、支軸部８５とを備える。装置本体２の筐体２１は、後面２１ｋを有する。
【００７８】
回動軸部８１及び支軸部８２はそれぞれ、第１実施形態の回動軸部８１及び支軸部８２と同じである。
【００７９】
支軸部８５は、回動軸部８１を回動可能に且つ画像形成装置１の上下方向にスライド可能に支持する。支軸部８５は、装置本体２の後面２１ｋに配置されている。支軸部８５は、画像形成装置１の上下方向に延設されている。支軸部８５は、長孔８５ｇを有する。長孔８５ｇは、画像形成装置１の上下方向に伸びている。
【００８０】
回動軸部８１は、長孔８５ｇに挿通されている。回動軸部８１は、長孔８５ｇに沿って上下方向に移動可能である。回動軸部８１は、長孔８５ｇに挿通されている。長孔８５ｇは、回動軸部８１の中心軸線を中心に回動可能である。従って、連結部１１は、回動軸部８１を中心に回動可能に、且つ長孔８５ｇに沿って装置本体２の後面２１ｋ側に退避可能に、画像読取装置４を装置本体２に連結する。
【００８１】
なお、画像読取装置４が装置本体２に対して閉じているときは、回動軸部８１は、長孔８５ｇの上端に位置している。
【００８２】
図１１は、図９に示す画像読取装置４、自動原稿搬送装置３及び連結部１１を示す背面図である。詳しくは、図１１は、画像読取装置４が装置本体２に対して閉じているときの画像読取装置４、自動原稿搬送装置３及び連結部１１を示す。
【００８３】
図１１に示すように、支軸部８２は、画像読取装置４の下面４２ｂの後部の左右両側に配置されている。支軸部８５は、装置本体２の後面２１ｋの左右両側に配置されている。
【００８４】
支軸部８５は、底壁部８５ｂと、２つの側壁部８５ｃとを有する。底壁部８５ｂは、例えば、縦長矩形の平板状である。２つの側壁部８５ｃの各々は、例えば、縦長矩形の平板状である。底壁部８５ｂは、装置本体２の後面２１ｋに配置されている。２つの側壁部８５ｃの各々は、底壁部８５ｂにおける横幅方向（即ち画像形成装置１の左右方向）の両端に設けられ、底壁部８５ｂの後側に張り出している。２つの側壁部８５ｃの各々は、図９及び図１０を参照して説明した長孔８５ｇを有する。長孔８５ｇは、２つの側壁部８５ｃの長手方向（即ち画像形成装置１の上下方向）に伸びている。長孔８５ｇは、側壁部８５ｃの厚さ方向に貫通している。
【００８５】
支軸部８２は、２つの側壁部８５ｃの間に配置されている。回動軸部８１の両端は、２つの側壁部８５ｃの各々の長孔８５ｇに挿通している。
【００８６】
図１２を参照して、画像形成装置１の動作を説明する。図１２は、画像形成装置１の側面図を示す。図１２を参照して説明する具体例では、画像読取装置４は、装置本体２の後面２１ｋ側に退避されている。
【００８７】
図１２の矢印Ｙに示すように、画像読取装置４の前部側を持ち上げながら、画像読取装置４を装置本体２の後面２１ｋ側に移動させる。そして、画像読取装置４が、回動軸部８１を中心に装置本体２に対して開く方向に回動する。そして、この回動に並行して、回動軸部８１が長孔８５ｇの上端位置から下端位置に移動する。従って、画像読取装置４が装置本体２の後面２１ｋ側に移動される。即ち、画像読取装置４が装置本体２の後面２１ｋ側に退避される。画像読取装置４が装置本体２の後面２１ｋ側に退避されているとき、画像読取装置４の前半部は、上方を向いて、装置本体２の上面２１ｃよりも上側に張り出している。
【００８８】
画像読取装置４が装置本体２の後面２１ｋ側に退避されたとき、操作パネル６は、装置本体２の後側に移動される。従って、操作パネル６と排紙トレイ２８との間隔Ｄは、画像読取装置４が装置本体２に対して閉じているときの間隔Ｄよりも広い。この結果、用紙が排紙トレイ２８から取り易くなる。
【００８９】
画像読取装置４を装置本体２に対して閉じるときは、画像読取装置４を持ち上げながら、画像読取装置４の前部側を装置本体２の前面２１ａ側に移動させる。この結果、回動軸部８１が、回動軸部８１の中心軸線を中心に回動しながら、長孔８５ｇの下端位置から上端位置に移動する。そして、画像読取装置４が装置本体２の上側に配置される。即ち、画像読取装置４が装置本体２に対して閉じられる。
【００９０】
以上、図面（図１〜図１２）を参照しながら本発明の実施形態を説明した。但し、本発明は、上記の実施形態に限られるものではなく、その要旨を逸脱しない範囲で種々の態様において実施することが可能である。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【符号の説明】
【００９１】
１  画像形成装置
２  装置本体
４  画像読取装置
６  操作パネル
８  連結部
９  付勢部材
１５  係止部
１６  被係止部
２１ａ  前面
２１ｆ  後面
２６  後処理部
２８  排紙トレイ
４２ａ  前面
８１  回動軸部
８２  支軸部
８３  支軸部
８５ｇ  長孔
【図１】
2017102162.tif 000003
【図２】
2017102162.tif 000004
【図３】
2017102162.tif 000005
【図４】
2017102162.tif 000006
【図５】
2017102162.tif 000007
【図６】
2017102162.tif 000008
【図７】
2017102162.tif 000009
【図８】
2017102162.tif 000010
【図９】
2017102162.tif 000011
【図１０】
2017102162.tif 000012
【図１１】
2017102162.tif 000013
【図１２】
2017102162.tif 000014